(57)【要約】【課題】この発明は、複数の回路基板のグランド端間を結ぶループの大きさを小さく抑え、ＥＭＩに対する性能の安定化を図ることができるようにした信号処理装置を提供することを目的としている。【解決手段】第１の回路２６ｇで生成された第１の電源電圧により信号処理を行なう第２の回路２７と、第３の回路２６ｊで生成された第２の電源電圧により信号処理を行なう第４の回路２８と、第２及び第４の回路２７，２８の各グランド端が接続される基準グランド端２２と、第１及び第３の回路２６ｇ，２６ｊで生成された第１及び第２の電源電圧を第２及び第４の回路２７，２８にそれぞれ導くもので、第１乃至第４の回路２６ｇ，２６ｊ，２７，２８の各グランド端が接続されるプレーン状のグランドパターン２６ｂが形成された回路基板２６とを備える。【選択図】    図３
2007042675.tif 000002
【特許請求の範囲】
【請求項１】
第１の電源電圧を生成する第１の回路と、
前記第１の回路で生成された第１の電源電圧により信号処理を行なう第２の回路と、
第２の電源電圧を生成する第３の回路と、
前記第３の回路で生成された第２の電源電圧により信号処理を行なう第４の回路と、
前記第２及び第４の回路の各グランド端が接続される基準グランド端と、
前記第１及び第３の回路で生成された第１及び第２の電源電圧を前記第２及び第４の回路にそれぞれ導くもので、前記第１乃至第４の回路の各グランド端が接続されるプレーン状のグランドパターンが形成された回路基板とを具備することを特徴とする信号処理装置。
【請求項２】
前記回路基板は、その両面に前記グランドパターンが形成されることを特徴とする請求項１記載の信号処理装置。
【請求項３】
基準グランド端は、前記回路基板を支持する鉄板であり、この鉄板に前記回路基板のグランドパターンが接続されていることを特徴とする請求項１記載の信号処理装置。
【請求項４】
前記第１及び第３の回路は、前記回路基板上に形成されることを特徴とする請求項１記載の信号処理装置。
【請求項５】
前記第２及び第４の回路は、デジタルデータの信号処理を行なうことを特徴とする請求項１記載の信号処理装置。
【請求項６】
前記第２及び第４の回路のいずれか一方は、投射型映像表示装置の光学エンジンに供給する映像信号処理を行なうことを特徴とする請求項１記載の信号処理装置。
【発明の詳細な説明】
【技術分野】
【０００１】
この発明は、特にスクリーンの背面側から映像光を投射する背面投射型テレビジョン受信装置等に使用して好適する信号処理装置に関する。
【背景技術】
【０００２】
周知のように、首記の如き背面投射型のテレビジョン受信装置は、主として、テレビジョン放送信号からの映像信号の復元処理、受信装置全体の動作制御、各部への電源供給等を行なう信号処理制御部（シャーシともいう）と、この信号処理制御部で復元された映像信号を光学像に変換してスクリーンの背面側に投射する光学エンジンとを備えている。
【０００３】
ところで、上記信号処理制御部は、受信装置全体の動作制御、放送信号の受信等を行なう回路基板、映像信号に対するスケーリング処理やＩ／Ｐ（interlace／progressive）変換等の信号処理を行なう回路基板、アナログチューナ等のアナログ信号処理を行なう回路基板、光学エンジン用の電源を生成する回路基板、各回路基板への電源を生成する回路基板等、複数種類の回路基板を筐体内に収納する構成となっている。
【０００４】
この場合、電源生成用の回路基板から電源被供給用の回路基板への電源の供給は、電線の接続によって行なわれている。このため、特に各回路基板の基準電位点となるグランド（ＧＮＤ）端が電線によって接続されることにより、各回路基板に跨った大きなＧＮＤループが形成されることになり、ＥＭＩ（electromagnetic interference）に対する性能が変動し易くなって、安定した映像表示性能が得られなくなるという問題が生じている。
【０００５】
特許文献１には、半導体ＩＣと端子順序が一致するように対応付けされたデジタル信号端子列と、これに対向して設けられたグランド端子列とから構成された基板間接続部を、半導体ＩＣ毎にそのデジタル信号端子列が半導体ＩＣの信号端子に向かい合うように配置することにより、各半導体ＩＣと無交差配線で接続するようにして、低ＥＭＩ化を図るようにした構成が開示されている。
【特許文献１】特開２００２−２８９９９１公報
【発明の開示】
【発明が解決しようとする課題】
【０００６】
しかしながら、上記特許文献１には、各回路基板のＧＮＤ端が電線によって接続され、各回路基板に跨った大きなＧＮＤループが形成されることにより、ＥＭＩに対する性能が変動することについては何ら着目されておらず、またその対処についても何ら記載されていないものである。
【０００７】
そこで、この発明は上記事情を考慮してなされたもので、複数の回路基板のグランド端間を結ぶループの大きさを小さくに抑え、ＥＭＩに対する性能の安定化を図ることができるようにした信号処理装置を提供することを目的とする。
【課題を解決するための手段】
【０００８】
この発明の実施の形態に係る信号処理装置は、第１の電源電圧を生成する第１の回路と、第１の回路で生成された第１の電源電圧により信号処理を行なう第２の回路と、第２の電源電圧を生成する第３の回路と、第３の回路で生成された第２の電源電圧により信号処理を行なう第４の回路と、第２及び第４の回路の各グランド端が接続される基準グランド端と、第１及び第３の回路で生成された第１及び第２の電源電圧を第２及び第４の回路にそれぞれ導くもので、第１乃至第４の回路の各グランド端が接続されるプレーン状のグランドパターンが形成された回路基板とを備えるようにしたものである。
【発明の効果】
【０００９】
上記した構成によれば、第１乃至第４の回路の各グランド端が回路基板にプレーン状に形成されたグランドパターンに接続されることにより、等価的に、第１及び第２の回路を接続するグランド線と第３及び第４の回路を接続するグランド線とが、第２及び第４の回路に近い位置で接続される構成となる。このため、第２及び第４の回路相互間に形成されるＧＮＤループの大きさを小さく抑えることができ、ＥＭＩに対する性能の安定化を図ることができるようになる。
【発明を実施するための最良の形態】
【００１０】
以下、この発明の実施の形態について図面を参照して詳細に説明する。すなわち、図１（ａ），（ｂ）は、この実施の形態で説明する映像表示装置として背面投射型テレビジョン受信装置１１を示している。
【００１１】
この背面投射型テレビジョン受信装置１１は、映像を表示する表示部１２と、この表示部１２の一方の面を覆う背面部１３と、上記表示部１２及び背面部１３を支持する支持部１４とから構成されている。
【００１２】
そして、上記表示部１２には、その表示面１２ａを覆うようにプロテクタ１５がねじ１６によって取り付けられている。このプロテクタ１５は、例えば透明または半透明のプラスチック板で構成され、表示部１２内のスクリーン１７を保護したり、光学的なフィルタ作用によって、コントラストの向上や視聴者の目の保護を行なったりするために設けられるものである。
【００１３】
また、上記支持部１４内には、テレビジョン放送信号からの映像信号の復元処理、受信装置全体の動作制御、各部への電源供給等を行なう信号処理制御部１８と、この信号処理制御部１７で復元された映像信号を光学像に変換して出射する光学エンジン１９とが備えられている。この光学エンジン１９から出射された映像光は、上記背面部１３内に設置されたミラー２０で反射され、スクリーン１７の背面に投射される。
【００１４】
図２は、上記信号処理制御部１８の構造を示している。この信号処理制御部１８は、１枚の底面鉄板２１と、この底面鉄板２１の背面画の端部から垂直に起立された背面鉄板２２とを備えている。
【００１５】
そして、この底面鉄板２１上には、その一方側に主電源基板２３、他方側に副電源基板２４、背面側にチューナ基板２５が、それぞれ、底面鉄板２１に面対向して設置されている。また、主電源基板２３と副電源基板２４との対向端部近傍からは、マザー基板２６が垂直に起立されて支持されている。
【００１６】
さらに、主電源基板２３の上には、所定間隔離間して面対向するようにデジタル処理基板２７が設置され、このデジタル処理基板２７の上には、所定間隔離間して面対向するように信号処理基板２８が設置されている。また、上記チューナ基板２８の上には、所定間隔離間して面対向するようにアナログ処理基板２９が設置されている。
【００１７】
ここで、上記デジタル処理基板２７は、背面投射型テレビジョン受信装置１１全体の制御を行なうＣＰＵ（central processing unit）、デジタル放送信号の受信回路、外部機器とｉ．Link接続を行なうためのインターフェース回路等を備えている。
【００１８】
また、上記信号処理基板２８は、サブＣＰＵ、映像スケーリング処理やＩ／Ｐ変換等、光学エンジン１９に供給する映像信号を生成する映像処理回路、ビデオカラーデコーダとを備えている。
【００１９】
さらに、上記アナログ処理基板２９は、入力される複数系統のアナログ信号を選択するアナログ入力信号のセレクト回路を備えている。上記チューナ基板２５は、アナログ放送信号に対するチューナ回路を備えている。
【００２０】
また、上記主電源基板２３は、光学エンジン１９用の電源や、アナログ回路に対する電源を生成する電源回路を備えている。上記副電源基板２４は、デジタル処理基板２７や信号処理基板２８に供給する電源を生成する、常時オン状態となる電源回路を備えている。
【００２１】
さらに、上記マザー基板２６は、主電源基板２３及び副電源基板２４の２次側出力から各回路で必要とする電圧を生成するレギュレータを備えるとともに、デジタル処理基板２７と信号処理基板２８との間でデジタル映像信号を伝送する機能を有する。
【００２２】
ここで、上記主電源基板２３の２次側グランド（ＧＮＤ）と、副電源基板２４の２次側グランドとは、マザー基板２６の近傍で接続され、その接続点が底面鉄板２１に接続されている。
【００２３】
また、主電源基板２３の２次側グランド（ＧＮＤ）と、副電源基板２４の２次側グランドとは、マザー基板２６にもコネクタを介して接続され、マザー基板２６上に形成されたレギュレータの基準ＧＮＤとなっている。
【００２４】
そして、この底面鉄板２１が信号処理制御部１８全体の基準グランド（強固なＧＮＤ）になる。
【００２５】
また、上記デジタル処理基板２７のグランドと信号処理基板２８のグランドとは、背面鉄板２２に接続されている。この背面鉄板２２は、底面鉄板２１と接続されていることにより、底面鉄板２１と同様に強固な基準グランドになっている。
【００２６】
図３は、上記副電源基板２４、マザー基板２６、デジタル処理基板２７及び信号処理基板２８の構造及び接続状態を示している。すなわち、副電源基板２４は、その一端に設置されたコネクタ２４ａが、マザー基板２６の一端に設置されたコネクタ２６ａに接続されることにより、マザー基板２６と電気的に接続される。
【００２７】
また、この副電源基板２４の２次側グランドとなるグランド端子２４ｂは、上記底面鉄板２１に接続されるとともに、コネクタ２４ａ，２６ａを介してマザー基板２６のグランドパターン２６ｂに接続されている。
【００２８】
一方、上記デジタル処理基板２７は、その一端に設置されたコネクタ２７ａが、マザー基板２６の他端に設置されたコネクタ２６ｃに接続されることにより、マザー基板２６と電気的に接続される。また、このデジタル処理基板２７のグランド端子２７ｂは、上記背面鉄板２２に接続されるとともに、コネクタ２７ａ，２６ｃを介してマザー基板２６のグランドパターン２６ｂに接続されている。
【００２９】
さらに、上記信号処理基板２８は、その一端に設置されたコネクタ２８ａが、マザー基板２６の他端に設置されたコネクタ２６ｄに接続されることにより、マザー基板２６と電気的に接続される。また、この信号処理基板２８のグランド端子２８ｂは、背面鉄板２２に接続されるとともに、コネクタ２８ａ，２６ｄを介してマザー基板２６のグランドパターン２６ｂに接続されている。
【００３０】
なお、上記デジタル処理基板２７は、コネクタ２７ａ，２６ｃ、マザー基板２６の接続パターン２６ｅ、コネクタ２６ｄ，２８ａを介して、信号処理基板２８と電気的に接続されている。これにより、デジタル処理基板２７と信号処理基板２８との間でデジタル映像信号を伝送可能となっている。
【００３１】
ここで、上記マザー基板２６には、副電源基板２４で生成されたデジタル処理基板２７用の電力が、コネクタ２４ａ，２６ａを介して供給されるパターン２６ｆと、このパターン２６ｆを介して供給された電力から必要な電圧を生成するレギュレータ２６ｇと、このレギュレータ２６ｇで生成された電圧をコネクタ２６ｃ，２７ａを介してデジタル処理基板２７に供給するためのパターン２６ｈとが形成されている。そして、このレギュレータ２６ｇのグランド端Ｇは、マザー基板２６のグランドパターン２６ｂに接続されている。
【００３２】
また、上記マザー基板２６には、副電源基板２４で生成された信号処理基板２８用の電力が、コネクタ２４ａ，２６ａを介して供給されるパターン２６ｉと、このパターン２６ｉを介して供給された電力から必要な電圧を生成するレギュレータ２６ｊと、このレギュレータ２６ｊで生成された電圧をコネクタ２６ｄ，２８ａを介して信号処理基板２８に供給するためのパターン２６ｋとが形成されている。そして、このレギュレータ２６ｊのグランド端Ｇは、マザー基板２６のグランドパターン２６ｂに接続されている。
【００３３】
ここで、上記マザー基板２６には、その表裏面の大部分に渡るプレーン状のグランドパターン２６ｂが形成されている。このグランドパターン２６ｂは、信号処理制御部１８に組み込まれた状態で、底面鉄板２１に図示しないコネクタを介して接続されており、底面鉄板２１と同様に強固な基準グランドになっている。
【００３４】
図４は、図３に示した構成における、レギュレータ２６ｊ，２６ｇ、デジタル処理基板２７及び信号処理基板２８相互間の接続関係を等価回路で示したものである。すなわち、上記レギュレータ２６ｇで生成された電圧は、上記パターン２６ｈに対応する接続線３０を介してデジタル処理基板２７に供給される。また、上記レギュレータ２６ｊで生成された電圧は、上記パターン２６ｋに対応する接続線３１を介して信号処理基板２８に供給される。
【００３５】
そして、レギュレータ２６ｊ，２６ｇの各グランド端Ｇと、デジタル処理基板２７及び信号処理基板２８の各グランド端子２７ｂ，２８ｂとが、それぞれ、マザー基板２６上にプレーン状に形成されたグランドパターン２６ｂに接続されることにより、デジタル処理基板２７とレギュレータ２６ｇとを接続するグランド線３２と、信号処理基板２８とレギュレータ２６ｊとを接続するグランド線３３とが、デジタル処理基板２７及び信号処理基板２８に近い位置で接続線３４により接続される構成となる。
【００３６】
これにより、デジタル処理基板２７及び信号処理基板２８相互間に形成されるＧＮＤループを小さく抑えることができ、デジタル処理基板２７及び信号処理基板２８から漏れる不要輻射を抑制することができるため、ＥＭＩに対する性能の安定化を図ることができるようになる。
【００３７】
すなわち、デジタル処理基板２７及び信号処理基板２８は、それぞれがデジタルデバイスを搭載しているため、その動作電流から漏れる輻射成分は大きい。このため、デジタル処理基板２７及び信号処理基板２８相互間のＧＮＤインピーダンスを下げ、また、ＧＮＤループを小さくすることにより、輻射成分を大幅に抑制することができる。
【００３８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３９】
【図１】この発明の実施の形態を示すもので、背面投射型テレビジョン受信装置を説明するために示す図。
【図２】同実施の形態における背面投射型テレビジョン受信装置の信号処理制御部の構造を説明するために示す斜視図。
【図３】同実施の形態における信号処理制御部を構成する各回路基板の構造及び接続状態を説明するために示す図。
【図４】同実施の形態における各回路基板の電気的な接続関係を説明するために示す等価回路図。
【符号の説明】
【００４０】
１１…背面投射型テレビジョン受信装置、１２…表示部、１３…背面部、１４…支持部、１５…プロテクタ、１６…ねじ、１７…スクリーン、１８…信号処理制御部、１９…光学エンジン、２０…ミラー、２１…底面鉄板、２２…背面鉄板、２３…主電源基板、２４…副電源基板、２５…チューナ基板、２６…マザー基板、２７…デジタル処理基板、２８…信号処理基板、２９…アナログ処理基板、３０，３１…接続線、３２，３３…グランド線、３４…接続線。
【図１】
2007042675.tif 000003
【図２】
2007042675.tif 000004
【図３】
2007042675.tif 000005
【図４】
2007042675.tif 000006